(57)【要約】      （修正有）【課題】角コラムを突き合わせて溶接する際に用いる裏当金を、作業者が現場において曲げ、角コラムの形状に合わせて容易に当てることができるようにすること、及び溶接の際に裏当金を抜けにくくすること。【解決手段】２つの平行な長辺１１を有する矩形の薄い金属板よりなる裏当金の片面に長辺に垂直な３本以上の溝１２を近接して形成し、溝１２の深さを長辺に近い部分ほど浅く、溝の中央に近い部分ほど深いものとする。また、３本以上の溝１２の幅を、外側の溝では狭く、中央又は中央寄りの溝では広くする。【選択図】図１
2014231093.tif 000002
【特許請求の範囲】
【請求項１】
角コラムを突き合わせて溶接する際に用いる裏当金であって、
２つの平行な長辺を有する矩形の薄い金属板よりなり、
該金属板の片面に前記長辺に垂直な３本以上の溝が近接して形成され、
前記溝の深さが、前記長辺に近い部分ほど浅く、該溝の中央に近い部分ほど深くなっていることを特徴とする
溶接用裏当金。
【請求項２】
前記溝の底面が、該溝の中央の片面側直上に位置する一点を中心とし、前記長辺に垂直な円に沿う弧状となっていることを特徴とする
請求項１に記載の溶接用裏当金。
【請求項３】
前記３本以上の溝の幅が、外側の溝では狭く、中央又は中央寄りの溝では広くなっていることを特徴とする
請求項１又は２に記載の溶接用裏当金。
【請求項４】
前記金属板が鋼板であり、かつ、前記長辺上の溝の部分における厚さが１．５ｍｍから２．８ｍｍであることを特徴とする
請求項１ないし３のいずれかに記載の溶接用裏当金。
【請求項５】
角コラムを突き合わせて溶接する際に用いる裏当金であって、
２つの平行な長辺を有する矩形の薄い金属板よりなり、
該金属板の片面に前記長辺に垂直な３本以上の溝が近接して形成され、
前記３本以上の溝の幅が、外側の溝では狭く、中央又は中央寄りの溝では広くなっていることを特徴とする
溶接用裏当金。
【発明の詳細な説明】
【技術分野】
【０００１】
本発明は、角コラムを突き合わせて溶接する際に用いる裏当金に関する。
【背景技術】
【０００２】
角鋼管柱やボックス柱などの角コラムは、捩り剛性が高くかつ曲げ剛性に方向性がないなどの優れた力学的特性を有することから、例えば鉄骨建築の柱として多用されている。また、角コラムを鉄骨建築の柱として使用する場合、梁との接合方法として、図６に示すように、角コラム２０を鋼板（ダイヤフラム鋼板と呼ばれる）に溶接接合し、そのダイヤフラム鋼板３０に梁４０を溶接接合する、いわゆる通しダイヤフラム接合形式と呼ばれる方法が多用される。この接合形式を採用する場合、柱である角コラム２０とダイヤフラム鋼板３０との溶接は図７に溶接部の断面を示すように一般に突き合わせ溶接が用いられ、溶接に際して裏当金１０が用いられる。ここで、角コラムの４つの角部はある曲率をもった断面形状をなしており、裏当金もその曲率に沿った形状とする必要がある。
【０００３】
このことから、上述のように角コラムを突き合わせて溶接する際に用いる裏当金について、これを作業者が現場において曲げ、角コラムの形状に合わせて当てることができるようにするため、従前よりいくつかの提案がなされており、その一つとして、金属板の片面に溝を形成したものが知られている（例えば特許文献１）。
【０００４】
このように金属板の片面に溝を形成した裏当金において、裏当金を角コラムの角部の曲率に沿った形状に曲げやすくする点からは、溝を深くしてその溝位置における残存板厚は薄くすることが望まれる。しかし、溝位置における残存板厚を薄くすると、溶接の際に抜けが生じ、ロボット溶接の場合には、作業が停止してしまい、設定のしなおし等を行わなければならず、作業効率が極端に落ちてしまうという新たな問題が発生してしまう。
【０００５】
一方、角コラム内面の角部の曲率（曲率半径Ｒ）にはばらつきがあり、裏当金にも製造誤差が幾分ある。したがって、裏当金の溝の寸法形状、溝の間隔は計算値より幾分か余裕を見て製作することが必要である。しかし、この余裕が過大な場合には裏当金の曲げの中心が決まらず、作業の手間が増える問題があった。この問題の解決のために、複数の溝の外側寄りの溝深さを浅くして曲げの中心を予定位置に近づけるなどの提案がなされているが（特許文献２）、この場合、溝底の厚み（残存板厚）が増すと曲げに必要なモーメントが大となり、曲げにくくなる欠点があった。
【先行技術文献】
【特許文献】
【０００６】
【特許文献１】特開２００３−１５４４８９号公報
【特許文献２】登録実用新案第３１７３７４３号公報
【発明の概要】
【発明が解決しようとする課題】
【０００７】
本発明が解決しようとする課題は、角コラムを突き合わせて溶接する際に用いる裏当金を、作業者が現場において容易に曲げ、角コラムの形状に合わせて容易に当てることができるようにすること、及び溶接の際に裏当金を抜けにくくすることにある。
【課題を解決するための手段】
【０００８】
本発明の裏当金は、角コラムを突き合わせて溶接する際に用いる裏当金であって、２つの平行な長辺を有する矩形の薄い金属板よりなり、該金属板の片面に前記長辺に垂直な３本以上の溝が近接して形成され、前記溝の深さが、前記長辺に近い部分ほど浅く、該溝の中央に近い部分ほど深くなっていることを特徴とするものである。
【０００９】
このように、溝の深さを、金属板の長辺に近い部分ほど浅く、溝の中央に近い部分ほど深くなるようにすることで、溝の中央部分の深さは大きくなるので裏当金を容易に曲げることができ、一方、溶接位置となる長辺に近い部分の溝の深さは小さくなり残存板厚を大きくできるので、溶接の際の抜けが発生しにくくなる。
【００１０】
本発明において、前記溝の底面は、該溝の中央の片面側直上に位置する一点を中心とし、前記長辺に垂直な円に沿う弧状とすることができる。このような溝の底面形状は、円盤状の切削板やリング状の糸鋸を用いて容易に得ることができる。
【００１１】
更に本発明において前記３本以上の溝の幅は、外側の溝では溝幅を狭く、中央又は中央寄りの溝では溝幅を広くなるようにすることができる。これにより、角コラム内面の角部の曲率半径Ｒの変化に対応可能となり、また予定の曲げ位置が容易に定まり、角コラムに確実にセットすることができる。
【００１２】
また、本発明において前記金属板は典型的には鋼板であり、この場合、その長辺上の溝の部分における厚さ（残存板厚）は１．５ｍｍから２．８ｍｍとすることができる。
【発明の効果】
【００１３】
本発明によれば、角コラムを突き合わせて溶接する際に用いる裏当金を、作業者が現場において容易に曲げることができ、角コラムの形状に合わせて容易に当てることができる。また、溶接の際に裏当金が抜けにくくなり、ロボット溶接等の溶接の作業効率を向上させることができる。
【図面の簡単な説明】
【００１４】
【図１】本発明の一実施例による裏当金の要部を示し、（ａ）はその正面図、（ｂ）は（ａ）のＡ−Ａ線断面図である。
【図２】図１の裏当金を使用した、角コラムとダイヤフラム鋼板との溶接部を示す断面図である。
【図３】実施例で行った有限要素解析の解析モデル図である。
【図４Ａ】実施例で行った有限要素解析図である（曲げ始めで荷重が０．７Ｎの場合）。
【図４Ｂ】同上（荷重が２．１Ｎの場合）
【図４Ｃ】同上（荷重が３．５Ｎの場合）
【図４Ｄ】同上（荷重が４．９Ｎの場合）
【図４Ｅ】同上（荷重が５．６Ｎの場合）
【図４Ｆ】同上（荷重が７Ｎの場合）
【図４Ｇ】同上（７Ｎ負荷後の全体変形図）
【図５Ａ】実施例における溝幅の設計の具体例を説明する図である。
【図５Ｂ】実施例の裏当金を角コラムに適用したときの概念図である。
【図６】角コラムの使用方法の例を示す斜視図である。
【図７】角コラムとダイヤフラム鋼板との溶接部を示す断面図である。
【発明を実施するための形態】
【００１５】
以下、実施例によって本発明の実施形態を説明する。
【実施例】
【００１６】
図１は、本発明の一実施例による裏当金の要部を示し、（ａ）はその正面図、（ｂ）は（ａ）のＡ−Ａ線断面図である。
【００１７】
同図に示す裏当金１０は、２つの平行な長辺１１を有する矩形の薄い金属板（鋼板）よりなり、この金属板の片面に長辺１１に垂直な３本以上（実施例では７本）の溝１２が近接して形成されている。この溝１２の深さは、長辺１１に近い部分ほど浅く、溝１２の中央に近い部分ほど深くなっている。また、本実施例においては、溝１２の底面が、溝１２の中央の片面側直上に位置する一点Ｃを中心とし、長辺１１に垂直な円に沿う弧状となっている。この円の半径ｒは１３０ｍｍから１８０ｍｍ程度が好ましい。更に、本実施例では、溝１２の幅が、外側の溝では狭く、中央又は中央寄りの溝では広くなっている。
【００１８】
ここで、長辺１１上の溝１２の部分における厚さ（残存板厚）は１．５ｍｍから２．８ｍｍ程度が好ましい。また、溝１２以外の部分の厚さ（金属板の元厚）は８ｍｍから９ｍｍ程度が好ましい。
【００１９】
図２は、本実施例の裏当金１０を使用した、角コラム２０とダイヤフラム鋼板３０との溶接部を示す断面図である。図７でも説明したように、角コラム２０とダイヤフラム鋼板３０との溶接は一般に突き合わせ溶接が用いられ、溶接に際して裏当金１０が用いられる。
【００２０】
本実施例の裏当金１０は上述のとおり、その溝１２の深さが、長辺１１に近い部分ほど浅く、溝１２の中央に近い部分ほど深くなっている。したがって、図２に示すように、溶接位置Ｗとなる長辺に近い部分の溝１２の深さは小さくなり残存板厚を大きくできるので、溶接の際の抜けが発生しにくくなる。一方で、溝１２の中央に近い部分の深さは大きいので、裏当金１０は容易に曲げることができる。
【００２１】
更に、本実施例では、溝１２の幅は、外側の溝では狭く、中央又は中央寄りの溝では広くなるようにしているので、裏当金１０を曲げ始めたときに外側寄りの狭い幅の溝が先に閉じ、中央又は中央寄りの広い幅の溝はある量だけ開いたままとなる（有限要素解析による図４Ａ〜図４Ｇ参照）。なお、図４Ａ〜図４Ｇに示す有限要素解析図の解析モデルは図３に示すとおりであり、左端を固定、右端に最大７Ｎの荷重を負荷するようにし、２次元近似により有限要素解析を行った。
【００２２】
ここで、角コラム内面の角部の曲率半径Ｒが想定より小さい場合、角コラム内面と裏当金外面との間に隙間が生じる。これに対して本実施例では上述のとおり、中央又は中央寄りの溝は溝幅が広いため溝は閉じずに未だ幾分開いており更に曲げ込む余裕が残っている。したがって、この部分にシャコ万力などで力を負荷することで更に締め込むことが可能であり、その結果、角コラム内面と裏当金外面との間の隙間を埋めることが可能となる。
【００２３】
以下、図５Ａを参照して溝幅の設計の具体例を説明する。
【００２４】
図５Ａは、裏当金を、その溝の部分における厚さ（残存板厚ｃ）の中心線（ｃ／２）を中立軸として９０°曲げた状態を示し、同図に示すように、溝深さをａ、溝幅をｂ、残存厚みをｃ、隣り合う溝の間隔をｈ、曲率半径（曲げの外側の半径）をＲ、溝が閉じたときの角度を２θ、溝数をｎとすれば、以下の（１）〜（３）式の関係がある。
ｔａｎθ＝（ｂ／２）／{ａ＋（ｃ／２）}  …（１）式
Ｒ＝（ｈ／２ｓｉｎθ）＋ａ＋ｃ          …（２）式
２ｎθ＝９０                            …（３）式
【００２５】
例えば、ａ＝７ｍｍ、ｃ＝２ｍｍ、ｎ＝７の場合、θ＝６．４３°、ｔａｎθ＝０．１１２７、ｂ＝１．８ｍｍが得られる。また、Ｒ＝５０ｍｍの規格の場合には、ｈ＝９．２ｍｍが得られる。
【００２６】
この場合には、外側寄りの溝ではｂ＝１．７ｍｍ、中央寄りの溝ではｂ＝２ｍｍという設計にする。
【００２７】
この設計に基づき製作した裏当金を角コラムに適用すると、外側寄りの溝群ではｔａｎθ１＝０．１０６３、θ１＝６．０７°となり、Ｒ１＝５２．５ｍｍまで対応可能である。また、内側寄りの溝群では、ｔａｎθ２＝０．１２５、θ２＝７．１２５°となり、Ｒ２＝４５．３ｍｍまで対応可能である。角コラム内面の曲率半径Ｒが規格の５０ｍｍより小であった場合は、中央寄りの溝は閉じずに残っており、上述のとおり更にシャコ万力で締め込んで合わせることが可能となる。その場合の概念図を図５Ｂに示す。一方、角コラム内面の曲率半径Ｒが規格の５０ｍｍより大であった場合は、先に述べたようにθ１を計算値より小さくとっているので、ｓｉｎθはより小となり、（２）式から大なるＲに対応可能となる。
【００２８】
ここで、本実施例では図１に示したように、溝深さａは溝１２の長手方向中央部で深く、長辺１１に近い部分ほど浅くなっている。すなわち、長手方向中央部で溝深さａは最大、残存板厚ｃは最小、長辺１１側で溝深さａは最小、残存板厚ｃは最大となるが、この場合、上記計算例においては、ａ，ｃともに平均値を用いて計算すればよい。
【００２９】
なお、本発明では、溝深さａは一定とした上で、上述のとおり溝の幅が、外側の溝では狭く、中央又は中央寄りの溝では広くなるようにすることもできる。
【符号の説明】
【００３０】
１０  裏当金
１１  長辺
１２  溝
２０  角コラム
３０  ダイヤフラム鋼板
４０  梁
【図１】
2014231093.tif 000003
【図２】
2014231093.tif 000004
【図５Ａ】
2014231093.tif 000005
【図５Ｂ】
2014231093.tif 000006
【図６】
2014231093.tif 000007
【図７】
2014231093.tif 000008
【図３】
2014231093.tif 000009
【図４Ａ】
2014231093.tif 000010
【図４Ｂ】
2014231093.tif 000011
【図４Ｃ】
2014231093.tif 000012
【図４Ｄ】
2014231093.tif 000013
【図４Ｅ】
2014231093.tif 000014
【図４Ｆ】
2014231093.tif 000015
【図４Ｇ】
2014231093.tif 000016